(57)【要約】【課題】  従来の除菌器において、チーズは除菌器の薬液注入口取付け部が螺着の為、鋼製を使用する場合が多く、薬液により鋼が酸化し膨れあがり注入不良を起こす場合があった。また、チーズは配管抵抗が低く、揚水した水も層流になり易く、注入した薬液が混ざりにくく残留塩素濃度にバラツキが多くなる。また、揚水した水の中に含まれる不純物が薬液と反応し注入口に付着してしまうと言う問題があった。【解決手段】  本発明の除菌器は、機体内部に揚水ポンプから揚水される水を通水することが可能でかつ腐食な通水部を設け、通水部に除菌を目的とした薬液が注入できる注入口を配置した。さらに注入口を通水管の異径部近傍や屈曲部近傍に設けた。また、注入口の通水管内部上流に乱流を発生させる突起等を設ける。【選択図】  図３
2006283680.tif 000002
【特許請求の範囲】
【請求項１】
機体内部に揚水ポンプから揚水される水を通水することが可能な通水部を具備し、前記通水部に除菌を目的とした薬液が注入できる注入口を具備し、さらに前記薬液を注入する為の注入ポンプを具備し、前記薬液の備蓄をする薬液タンクを備えた除菌器において、
前記注入口を前記通水管の異径部近傍や屈曲部近傍に設けたことを特徴とする除菌器。
【請求項２】
機体内部に揚水ポンプから揚水される水を通水することが可能な通水部を具備し、前記通水部に除菌を目的とした薬液が注入できる注入口を具備し、さらに前記薬液を注入する為の注入ポンプを具備し、前記薬液の備蓄をする薬液タンクを備えた除菌器において、
前記注入口の前記通水管内部上流に乱流を発生させる、突起等を設けたことを特徴とする除菌器。
【請求項３】
機体内部に揚水ポンプから揚水される水を通水することが可能な通水部を具備し、前記通水部に除菌を目的とした薬液が注入できる注入口を具備し、さらに前記薬液を注入する為の注入ポンプを具備し、前記薬液の備蓄をする薬液タンクを備えた除菌器において、
前記注入口近傍に前記通水管内部が観察可能な窓を設けたことを特徴とする除菌器。
【発明の詳細な説明】
【技術分野】
【０００１】
この発明は、揚水ポンプから揚水される水に薬液を注入する除菌器に関するものである。
【背景技術】
【０００２】
従来の除菌器は、揚水ポンプと水密に配管された水栓までの途中にチーズを設け、チーズに除菌器が具備している薬液注入口を接続して薬液を注入していた。
【０００３】
除菌器の起動、停止については揚水ポンプと同期運転するように接続している。
【発明の開示】
【発明が解決しようとする課題】
【０００４】
従来の除菌器は、前述したように、揚水ポンプと水密に配管された水栓までの途中にチーズを設け、チーズに除菌器が具備している薬液注入口を接続して薬液を注入している。チーズは除菌器の薬液注入口取付け部が螺着の為、鋼製を使用する場合が多く、薬液により鋼が酸化し膨れあがり注入不良を起こす場合があった。また、チーズは配管抵抗が低く、揚水した水も層流になり易く、注入した薬液が混ざりにくく残留塩素濃度にバラツキが多くなる。
【０００５】
また、揚水した水の中に含まれる不純物が薬液と反応し注入口に付着してしまうと言う問題があった。
【課題を解決するための手段】
【０００６】
上記問題を解決する為に本発明の除菌器は、機体内部に揚水ポンプから揚水される水を通水することが可能でかつ腐食な通水部を設け、通水部に除菌を目的とした薬液が注入できる注入口を配置した。さらに注入口を通水管の異径部近傍や屈曲部近傍に設けた。
【０００７】
また、注入口の通水管内部上流に乱流を発生させる、突起等を設ける。次に注入口近傍に通水管内部が観察可能な窓を設ける。
【発明の効果】
【０００８】
本発明によれば、機体内部に揚水ポンプから揚水される水を通水することが可能な通水部を設け、通水部に除菌を目的とした薬液が注入できる注入口を配置し、さらに注入口を通水管の異径部近傍や屈曲部近傍や、注入口の通水管内部上流に乱流を発生させる突起等を設けることで、注入口近傍は乱流となり注入された薬液は揚水された水と効率よく混ざることができる。また、乱流となることで注入口付近に不純物が薬液と反応し注入口に付着することを低減できる。
【０００９】
また、注入口近傍に通水管内部が観察可能な窓を設けることで内部に不純物が付着したかを観察でき、さらには窓自身が取り外し可能とすることで配管内部の不純物を除去することが可能となる。
【発明を実施するための最良の形態】
【００１０】
発明の実施例を図１〜図３により説明する。
【００１１】
図１は本発明の除菌器の全体構成図、図２は除菌器と揚水ポンプのシステム図、図３は本発明の除菌器の通水管部を断面した図である。
【００１２】
図１、図２において本発明の除菌器の全体構成について説明する。
【００１３】
除菌器１は井戸ポンプ５０から水栓１００までの配管１０１の間に接続され、除菌器１への流入側に流入フランジ２、流出側に流出フランジ３を介して除菌器１本体に通水できるように接続する。
【００１４】
流入フランジ２の下流側に圧力検出部２０、流量検出部２５が配置され、それらの検知信号を受信する制御部３０が設けられている。
【００１５】
制御部３０には異常その他を表示することが可能な表示部３１が設けられている。
【００１６】
薬液を備蓄する薬液槽４が設けられており、ポンプヘッド１２を機械的に駆動させる電動機１１が組み合わさり、ポンプ装置１０が構成される。
【００１７】
ポンプヘッド１２は薬液槽４から薬液を吸うチューブ吸込みチューブ（図示せず）で連通されており、吸上げた薬液を通水管８に設けられた薬液注入口７に注入チューブ９を介して注入する。  薬液は一般的には次亜塩素酸ナトリウムが使用される。
【００１８】
通水管８内部の薬液注入口７の上流には、水の流れを乱す突起８ａを設けている。
【００１９】
薬液注入口７近傍には通水管８内部が観察可能な窓８ｂが水密に取り付けられている。
【００２０】
次に動作について説明する。
【００２１】
水栓１００を開けると配管１０１、井戸ポンプ５０及び除菌器１内の圧力は低下し、井戸ポンプ５０は設定された圧力もしくは流量等を検知して運転を開始する。本発明の除菌器１においても、流量検知部２５が流量を検出し、信号を制御部３０へ送ることにより現在の流量を演算し、流量に見合った薬液を注入する為、電動機１１の起動回転数を制御する。回転数を制御する手段としてはインバータ制御、位相制御等有る。
【００２２】
制御された回転数によりポンプヘッド１２は薬液を薬液槽４から吸上げ、注入チューブ９を通り通水管８に設けられた薬液注入口７から薬液を注入する。
【００２３】
通水管８内部には流量検出部２５を通過した井戸１０２から揚水された水が流通しており、それらの水は、注入された薬液により除菌される。
【００２４】
除菌された水は流出フランジ３を通り配管１０１を介して水栓１００から流出される。この際、使用する水の量が増加すると除菌器１内部の流量検出部２５が流量の増加を検知し制御部３０へ信号を送り、電動機１１の回転数を上げることによりポンプ装置１１の薬液注入量を増加させ適切に除菌する。
【００２５】
水の使用を止め、水栓１００を閉じると流量検出部２５が検知し制御部３０へ信号を送りポンプ装置１０が停止する。
【００２６】
次に本発明について説明する。
【００２７】
流量検知部２５の信号により、制御部３０にて制御された回転数によりポンプヘッド１２は薬液を薬液槽４から吸上げ、注入チューブ９を通り通水管８に設けられた薬液注入口７から薬液を注入する。この際、通水管８内部は、一般的に流体の圧力損失を低減する為、内径も大きく（２０mm〜３０mm）、滑らかに作られている為、薬液を注入しても流体と薬液があまり混ざらない問題があった。
【００２８】
本発明は通水管８内部の上流に突起８ａを設けることにより、突起８ａにて水が２手に分かれて流れ突起８ａの下流側は負圧になる為、水が逆流しようとする。この為、水の流れが乱され、薬液が揚水した水と混ざり易くなる。
【００２９】
本実施例は突起８ａについて説明したが、水の流れが乱される、異径部やエルボ部近傍に薬液注入口７を設けても同様の効果が得られる。
【００３０】
また、薬液注入口７内部は流れが一定だと、薬液によって化学反応を起こしたスケールが付着してしまい、薬液の注入不良を起こす場合があった。通水管８内部の上流に突起８ａを設けることにより、薬液注入口７内部に流れの乱れが出来スケール等が付着しづらくなり、薬液の注入不良を低減できる。
【００３１】
次に薬液注入口７近傍に内部が観察可能な窓８ｂを付けることにより、薬液注入部７にスケールが付着したのを観察でき、メンテの要否が判断できる。
【図面の簡単な説明】
【００３２】
【図１】本発明の除菌器の全体構成図である。
【図２】除菌器と揚水ポンプのシステム図である。
【図３】本発明の除菌器の通水管部を断面した図である。
【符号の説明】
【００３３】
７…薬液注入口、８ａ…突起。
【図１】
2006283680.tif 000003
【図２】
2006283680.tif 000004
【図３】
2006283680.tif 000005